(57)【要約】      （修正有）【課題】耳たぶへの着脱が簡単で長時間装着しても耳たぶが痛くなく、しかも耳飾りが耳たぶよりみだりに外れることがなく、また、軸着部の摩耗を小さくして耐久性を高め、さらには加工作業が簡単でコスト低減を図ることができるクリップ式耳飾りを提供する。【解決手段】装飾部材と可動部材の基部を軸着して両者の自由端部で耳たぶを挟み付ける構造の耳飾りにおいて、装飾部材１２のコ字状の基部に設けた当接部１４ａに可動部材１３の基部の先端面に設けた卵形の押圧部材１５ａを負荷がかかる状態で当接させるとともに、可動部材を軸着部を介して耳たぶ挟み付け方向に回動させて耳たぶの挟着状態を保持できるようにした。【選択図】図３
0003222729.tif 000002
【実用新案登録請求の範囲】
【請求項１】
装飾部材と可動部材の基部を軸着して両者の自由端部で耳たぶを挟み付ける構造の耳飾りにおいて、装飾部材のコ字状の基部に設けた当接部に可動部材の基部の先端面に設けた卵形の押圧部材を負荷がかかる状態で当接させるとともに、可動部材を軸着部を介して耳たぶ挟み付け方向に回動させて耳たぶの挟着状態を保持することができるようにしたことを特徴とするクリップ式耳飾り。
【請求項２】
前記装飾部材のコ字状の基部に設けた当接部は、該装飾部材のコ字状の基部に一体的に形成したバネ片が前記当接部の前面に折り曲げて配設してあり、前記可動部材の基部先端面の卵形の押圧部材を前記バネ片に弾発当接させたことを特徴とする請求項１に記載のクリップ式耳飾り。
【請求項３】
前記装飾部材と可動部材の基部の軸着部は、前記装飾部材のコ字状の基部の先端を外側に向けて後傾させた形状の尖頭構造とし、前記可動部材の基部の奥側に前記装飾部材の基部先端の尖頭部に対応する凹部を設けて該尖頭部をはめ込むようにしたことを特徴とする請求項１または２に記載のクリップ式耳飾り。
【請求項４】
前記装飾部材と可動部材の基部の軸着部は、前記可動部材の両側面に軸用突起を配設し、前記装飾部材のコ字状の基部に設けた軸孔にはめ込んでかしめるようにしたことを特徴とする請求項１ないし２３のいずれかに記載のクリップ式耳飾り。
【考案の詳細な説明】
【技術分野】
【０００１】
本考案は耳飾りに関し、特に長時間装着していても耳たぶに痛みを感じることなく、使用中に緩みを生じることなく不用意に脱落することのないクリップ式耳飾りに関する。
【背景技術】
【０００２】
一般に、この種の耳飾りとしては、耳たぶに挟み付けて使用するクリップ式のものであって、ねじ式の押し付けタイプとばね式のクリップタイプとが知られている。
【０００３】
前者は、耳たぶへの付け外しの際におねじを回すために、付け外しが面倒であるばかりでなく、押し付け方式であるから、長時間耳たぶを押し付けて装着していると、耳たぶが圧迫されて痛くなってくるとともに、特におねじが緩み方向に動きやすいために耳飾りが耳たぶから外れやすく、不用意に耳たぶより脱落することがあった。
また、この種の耳飾りは、ねじ付きのＵ字形金具を必要とするため、部品点数が多く、加工に時間がかかりコストアップの要因となっていた。
【０００４】
後者は、耳たぶへの付け外しが容易である反面、板ばねの付勢力が一対の部材の挟み付け方向に常時機能しているため、長時間装着していると、耳たぶが挟着部位に強く圧迫されて痛みを感じ、不快感を催す等の欠陥を有している。
【０００５】
そこで、これらの欠陥を解消するために種々の改良品が提案されている（特開平９−２７６０１０号公報、特開平９−２８９９１０号公報、特開平１０−２７６８１０号公報参照）。
これらの従来例を順次説明すると、まず、特開平９−２７６０１０号公報は、連結金具と挟持体を軸着し、この軸着部に係止体と軸受部を設け、係止体を軸受部に接触させて両者の接触抵抗により耳たぶを挟み付けた状態に保持できるようにしたものである。
【０００６】
また、特開平９−２８９９１０号公報は、装飾本体と押圧部を回動可能に軸着し、この軸着部の接触面にテーパ面を形成して両者に接触抵抗を与えて、耳たぶを挟み付けた状態に保持できるようにしたものである。
【０００７】
さらに、特開平１０−２７６８１０号公報は、主装飾体と挟着部材とを回動自在に軸着し、この軸着部をワッシャを介して加締めた構造であり、このワッシャにより耳たぶへの挟着力を一定に保持できるようにしたイヤリングである。
【先行技術文献】
【特許文献】
【０００８】
【特許文献１】特開平９−２７６０１０号公報
【特許文献２】特開平９−２８９９１０号公報
【特許文献３】特開平１０−２７６８１０号公報
【考案の概要】
【考案が解決しようとする課題】
【０００９】
しかしながら、特開平９−２７６０１０号及び特開平９−２８９９１０号公報は、いずれも軸着部分の開閉が繰り返されると、軸着部の接触面どうしが摩耗するため、接触抵抗が低下して耳たぶを挟持した状態を保持できなくなり、遂には、使用に供することができなくなる等の課題を有している。
【００１０】
また、特開平１０−２７６８１０号公報は、長い時間使用すると、軸着部のワッシャ接触面が摩耗するため、接触抵抗が低下して挟着力が低下するばかりでなく、少なくとも２枚のワッシャが介在しているので、軸着部の巾が厚くなり、耳飾りの外観上のデザインが制限されるとともに、ワッシャが耳飾りの軸着部の外部より見えるため、耳飾りとしての見栄えが悪い等の大きな課題点も有していた。
【００１１】
本考案は、従来の耳飾りが有していた欠陥を解決しようとするものであり、その目的とするところは、耳たぶへの着脱が簡単で長時間装着しても耳たぶが痛くなく、しかも耳飾りが耳たぶよりみだりに外れることがない。
また、軸着部の摩耗を小さくして耐久性を高め、さらには加工作業が簡単でコストの低減化を図ることができるクリップ式耳飾りを提供することにある。
【課題を解決するための手段】
【００１２】
上記の目的を達成するため請求項１に係るクリップ式耳飾りは、装飾部材と可動部材の基部を軸着して両者の自由端部で耳たぶを挟み付ける構造の耳飾りにおいて、装飾部材のコ字状の基部に設けた当接部に可動部材の基部の先端面に設けた卵形の押圧部材を負荷がかかる状態で当接させるとともに、可動部材を軸着部を介して耳たぶ挟み付け方向に回動させて耳たぶの挟着状態を保持することができるようにしたことを特徴とするものである。
【００１３】
請求項２に係るクリップ式耳飾りにおいて、前記装飾部材のコ字状の基部に設けた当接部は、該装飾部材のコ字状の基部に一体的に形成したバネ片が前記当接部の前面に折り曲げて配設してあり、前記可動部材の基部先端面の卵形の押圧部材を前記バネ片に弾発当接させたことをも特徴とするものである。
【００１４】
請求項３に係るクリップ式耳飾りにおいて、前記装飾部材と可動部材の基部の軸着部は、前記装飾部材のコ字状の基部の先端を外側に向けて後傾させた形状の尖頭構造とし、前記可動部材の基部の奥側に前記装飾部材の基部先端の尖頭部に対応する凹部を設けて該尖頭部をはめ込むようにしたことをも特徴とするものである。
【００１５】
請求項４に係るクリップ式耳飾りにおいて、前記装飾部材と可動部材の基部の軸着部は、前記可動部材の両側面に軸用突起を配設し、前記装飾部材のコ字状の基部に設けた軸孔にはめ込んでかしめるようにしたことをも特徴とするものである。
【考案の効果】
【００１６】
請求項１に係るクリップ式耳飾りによれば、耳たぶへの付け外しが簡単にできるため耳飾りの操作性が良好であり、また挟着部位が緩むことなく、強く耳たぶを押圧することもないので、長い時間装着しても耳たぶが痛くなることがないため、装着感が極めて良く、また耳飾りを装着した時に確実に耳たぶに装着保持できるため、みだりに耳たぶより脱落するおそれもなく安全で、かつ安心感のあるクリップ式耳飾りを提供することができる。
【００１７】
請求項２に係るクリップ式耳飾りによれば、前記装飾部材のコ字状の基部に設けた当接部は、該装飾部材のコ字状の基部に一体的に形成したバネ片が前記当接部の前面に折り曲げて配設してあり、前記可動部材の基部先端面の卵形の押圧部材を前記バネ片に弾発当接させることにより、摩耗が少なく長期間使用できるクリップ式耳飾りを提供することができる。
【００１８】
請求項３に係るクリップ式耳飾りによれば、前記装飾部材と可動部材の基部の軸着部は、前記装飾部材のコ字状の基部の先端を外側に向けて後傾させた形状の尖頭構造とし、前記可動部材の基部の奥側に前記装飾部材の基部先端の尖頭部に対応する凹部を設けて該尖頭部をはめ込むようにしたものであり、卵形の押圧部材の保持力と併せてより強固に耳たぶを挟着して保持する力を発揮させることができる。
【００１９】
請求項４に係るクリップ式耳飾りにおいて、前記装飾部材と可動部材の基部の軸着部は、前記可動部材の両側面に軸用突起を配設し、前記装飾部材のコ字状の基部に設けた軸孔にはめ込んでかしめるようにしたものであるため、軸ピンを省略することができて部品点数を減らすことができ、組付け工程も大幅に簡素化することができる。したがって、安価に量産することができるという優れた効果を有する。
【００２０】
さらに、本考案におけるクリップ式耳飾りは部品等が外部に露出することがないため、見栄えが良く、デザイン性を損なうこともない。
また、クリップ式耳飾りにおける軸着部の摩耗を少なくしているので、長期間の使用に耐える十分な耐久性を有しており、摩耗が生じても挟着保持力が発揮される形状に自ら形成されるため、使用者の耳たぶに応じた挟着保持力が生じ、従来の耳飾りに比して著しく実用的価値を増大させることができる。
【図面の簡単な説明】
【００２１】
【図１】（ａ）は本考案におけるクリップ式耳飾りの一例を示した概略側面図、（ｂ）はその概略断面図である。
【図２】（ａ）は両側の部材を閉じた状態を示す概略側面図、（ｂ）はその概略断面図である。
【図３】（ａ）は両側の部材を開いた状態を示す概略側面図、（ｂ）はその概略断面図である。
【図４】（ａ）は両側の部材を組み付けようとする状態を示す概略斜視図、（ｂ）はその概略中央切断斜視図である。
【図５】（ａ）は両側の部材を閉じた状態を示す概略斜視図、（ｂ）はその概略中央切断斜視図である。
【図６】（ａ）は両側の部材を開いた状態を示す概略側面図、（ｂ）はその概略中央切断断面図である。
【図７】（ａ）は本考案におけるクリップ式耳飾りの閉じた状態の要部概略断面図、（ｂ）は開いた状態の要部概略断面図である。
【図８】（ａ）は両側の部材の組付け工程を示す概略平面図、（ｂ）は組付けた状態の概略平面図である。
【考案を実施するための形態】
【００２２】
以下に、本考案におけるクリップ式耳飾りの実施の形態を図面に基いて詳細に説明する。
図１ないし図７に示すように本考案におけるクリップ式耳飾り１１は、装飾部材１２と可動部材１３の基部１４，１５を軸着して両者の自由端部１６，１７で耳たぶを挟み付ける構造である。
【００２３】
前記装飾部材１２と可動部材１３は、金、プラチナ、銀、その他の金属で形成され、一対の部材で構成される形態は、環状であれば円形、楕円、角形等の適宜の形態を呈するように形成することができる。
より詳しくは、前記装飾部材１２のコ字状の基部１４に設けた当接部１４ａに前記可動部材１３の基部１５の先端面に設けた卵形の押圧部材１５ａを負荷がかかる状態で当接させるのであり、前記可動部材１３を軸着部を介して耳たぶ挟み付け方向に回動させて耳たぶの挟着状態を保持することができるようにしたものである。
【００２４】
また、前記装飾部材１２のコ字状の基部１４に設けた当接部１４ａは、該装飾部材１２のコ字状の基部１４に一体的に形成したバネ片１４ｂが前記当接部１４ａの前面に折り曲げて配設してあり、前記可動部材１３の基部１５の先端面の卵形の押圧部材１５ａを前記バネ片１４ｂに弾発当接させてある。
このようにすることによって、摩耗が少なく長期間使用できるクリップ式耳飾りを提供することができる。
【００２５】
さらに、前記装飾部材１２と可動部材１３の基部１４，１５の軸着部は、前記装飾部材１２のコ字状の基部１４の先端を外側に向けて後傾させた形状の尖頭構造とし、前記可動部材１３の基部１５の奥側に前記装飾部材１２の基部１４先端の尖頭部１４ｃに対応する凹部１５ｂを設けて該尖頭部１４ｃをはめ込むようにしてある。
したがって、卵形の押圧部材１５ａの保持力と合せてより強固に耳たぶを挟着して保持する力を発揮させることができる。
【００２６】
図８（ａ）に示すように、前記装飾部材１２と可動部材１３の基部１４，１５の軸着部は、前記可動部材１３の卵形の押圧部材１５ａの両側面に軸用突起１３ａを配設し、前記装飾部材１２のコ字状の基部１４に設けた軸孔１４ｄにはめ込んだ上、図８（ｂ）に示すように、前記装飾部材１２のコ字状の基部１４をかしめるようにしたものである。
こうしておけば、軸ピンを省略することができて部品点数を減らすことができ、組付け工程も大幅に簡素化することができる。したがって、安価に量産することができるという優れた効果を有する。
【産業上の利用可能性】
【００２７】
本考案はクリップ式耳飾りについて適用した例を説明してきたが、本考案の趣旨を守る限りにおいては耳飾り以外の指輪やペンダントトップ等への応用も可能であることはいうまでもない。
【符号の説明】
【００２８】
１１  クリップ式耳飾り
１２  装飾部材
１３  可動部材
１３ａ  軸用突起
１４  基部
１４ａ  当接部
１４ｂ  バネ片
１４ｃ  尖頭部
１４ｄ  軸孔
１５  基部
１５ａ  卵形の押圧部材
１５ｂ  凹部
１６，１７  自由端部
【図１】
0003222729.tif 000003
【図２】
0003222729.tif 000004
【図３】
0003222729.tif 000005
【図４】
0003222729.tif 000006
【図５】
0003222729.tif 000007
【図６】
0003222729.tif 000008
【図７】
0003222729.tif 000009
【図８】
0003222729.tif 000010
【手続補正書】
【提出日】令和1年6月25日(2019.6.25)
【手続補正１】
【補正対象書類名】実用新案登録請求の範囲
【補正対象項目名】請求項４
【補正方法】変更
【補正の内容】
【請求項４】
前記装飾部材と可動部材の基部の軸着部は、前記可動部材の両側面に軸用突起を配設し、前記装飾部材のコ字状の基部に設けた軸孔にはめ込んでかしめるようにしたことを特徴とする請求項１ないし３のいずれかに記載のクリップ式耳飾り。